(57)【特許請求の範囲】
【請求項１】
移動端末が、パケット交換ネットワーク用基地局を介して回線交換ネットワーク用基地局からのページングメッセージを受信するように規定されているプロトコルを使用して通信を行う移動通信方法であって、
前記移動端末が、前記プロトコルの使用を開始した後、前記パケット交換ネットワーク用基地局を介して前記ページングメッセージを受信する工程と、
前記移動端末が、自分宛ての前記ページングメッセージの受信に応じて、前記プロトコルの使用を停止した後、前記回線交換ネットワーク用基地局からの報知情報を受信することなく、該回線交換ネットワーク用基地局に対して、該自分宛てのページングメッセージに対するページングレスポンスメッセージを送信する工程とを有することを特徴とする移動通信方法。
【請求項２】
前記移動端末が、前記プロトコルの使用を開始する前に、第１の回線交換ネットワーク用基地局から、該第１の回線交換ネットワーク用基地局に接続されている移動交換局を識別する第１のネットワークＩＤを含む第１の報知情報を受信する工程と、
前記移動端末が、前記プロトコルの使用を開始した後に、前記パケット交換ネットワーク用基地局から、第２の回線交換ネットワーク用基地局に接続されている移動交換局を識別する第２のネットワークＩＤを含む第２の報知情報を受信する工程と、
前記第１のネットワークＩＤと前記第２のネットワークＩＤとが異なる場合、前記移動端末が、自分宛ての前記ページングメッセージの受信に応じて、前記プロトコルの使用を停止した後、前記第１及び第２の回線交換ネットワーク用基地局からの報知情報を受信することなく、前記第２の回線交換ネットワーク用基地局に対して位置登録処理を行い、該第２の回線交換ネットワーク用基地局に対して、該自分宛てのページングメッセージに対するページングレスポンスメッセージを送信する工程とを有することを特徴とする請求項１に記載の移動通信方法。
【請求項３】
パケット交換ネットワーク用基地局を介して回線交換ネットワーク用基地局からのページングメッセージを受信するように規定されているプロトコルを使用して通信を行う移動端末であって、
前記プロトコルの使用が開始された後、前記パケット交換ネットワーク用基地局を介して前記ページングメッセージを受信するように構成されているページングメッセージ受信部と、
前記移動端末宛ての前記ページングメッセージの受信に応じて、前記プロトコルの使用が停止された後、前記回線交換ネットワーク用基地局からの報知情報を受信することなく、該回線交換ネットワーク用基地局に対して、該移動端末宛てのページングメッセージに対するページングレスポンスメッセージを送信するように構成されているページングレスポンスメッセージ送信部とを具備することを特徴とする移動端末。
【請求項４】
前記プロトコルの使用が開始される前に、第１の回線交換ネットワーク用基地局から、該第１の回線交換ネットワーク用基地局に接続されている移動交換局を識別する第１のネットワークＩＤを含む第１の報知情報を受信するように構成されている第１の報知情報受信部と、
前記プロトコルの使用が開始された後に、前記パケット交換ネットワーク用基地局から、第２の回線交換ネットワーク用基地局に接続されている移動交換局を識別する第２のネットワークＩＤを含む第２の報知情報を受信するように構成されている第２の報知情報受信部と、
前記第１のネットワークＩＤと前記第２のネットワークＩＤとを比較するように構成されている比較部と、
前記第１のネットワークＩＤと前記第２のネットワークＩＤとが異なる場合で、前記移動端末宛ての前記ページングメッセージの受信に応じて、前記プロトコルの使用が停止された後、前記第１及び第２の回線交換ネットワーク用基地局からの報知情報を受信することなく、前記第２の回線交換ネットワーク用基地局に対して位置登録処理を行うように構成されている位置登録処理部とを具備し、
前記ページングレスポンスメッセージ送信部は、前記第２の回線交換ネットワーク用基地局に対する位置登録処理の完了後、該第２の回線交換ネットワーク用基地局に対して、前記自分宛てのページングメッセージに対するページングレスポンスメッセージを送信するように構成されていることを特徴とする請求項３に記載の移動端末。
【発明の詳細な説明】
【技術分野】
【０００１】
本発明は、移動端末が、パケット交換ネットワーク用基地局を介して回線交換ネットワーク用基地局からのページングメッセージを受信するように規定されているプロトコルを使用して通信を行う移動通信方法及び移動端末に関する。
【背景技術】
【０００２】
近年、「ｃｄｍａ２０００  １ｘ-ＥＶ  ＤＯ方式」において、移動端末が、ＥＶ-ＤＯ用基地局（パケット交換ネットワーク用基地局）との間で設定されているコントロールチャネルやトラフィックチャネルを用いて、１ｘ用ネットワーク（回線交換ネットワーク）のページングメッセージを受信するように規定されているプロトコル（３Ｇ１Ｘプロトコル：３Ｇ１Ｘ  Ｃｉｒｃｕｉｔ  Ｓｅｒｖｉｃｅ  Ｎｏｔｉｆｉｃａｔｉｏｎ  Ｐｒｏｔｏｃｏｌ）が開発されている。
【０００３】
図１に、移動端末ＭＳが、３Ｇ１Ｘプロトコルを使用して通信可能な移動通信システムの概略を示す。
【０００４】
以下、図８及び図９を参照して、かかる移動通信システムにおいて、３Ｇ１Ｘプロトコル使用中に１ｘ用ネットワークのページングメッセージを受信してから、１ｘ用ネットワークにおける着信処理を行う動作について説明する。
【０００５】
図８に示すように、ステップＳ１００１において、移動端末ＭＳは、１ｘ用基地局ＢＳ＃１から、当該１ｘ用基地局ＢＳ＃１を識別する基地局ＩＤ及び当該１ｘ用基地局ＢＳ＃１に接続されている移動交換局ＭＳＣ＃１を識別するネットワークＩＤを含む報知情報を受信する。
【０００６】
ステップＳ１００２において、移動端末ＭＳは、位置登録処理を行っているＥＶ-ＤＯ用基地局ＢＳ＃１に対して、３Ｇ１Ｘプロトコルの使用開始を要求するための「３Ｇ１Ｘプロトコル使用要求」を送信する。
【０００７】
ステップＳ１００３において、ＥＶ-ＤＯ用基地局ＢＳ＃１は、受信した「３Ｇ１Ｘプロトコル使用要求」に応じて、移動端末ＭＳに対して、３Ｇ１Ｘプロトコルの使用開始を承認するための「３Ｇ１Ｘプロトコル使用承認」を送信する。
【０００８】
ステップＳ１００４において、移動端末ＭＳは、受信した「３Ｇ１Ｘプロトコル使用承認」に応じて、３Ｇ１Ｘプロトコルの使用を開始し、ＥＶ-ＤＯ用基地局ＢＳ＃１に対して、１ｘ用基地局ＢＳ＃１に対して位置登録処理を行うための位置登録要求を通知するための「３Ｇ１Ｘ  Ｓｅｒｖｉｃｅ  Ｐａｃｋｅｔ（１ｘ用ネットワークのシグナリングメッセージを含むＤＯパケット）」を送信する。
【０００９】
なお、３Ｇ１Ｘプロトコルの使用中は、移動端末ＭＳは、１ｘ用ネットワークからの無線信号を受信しないように構成されている。
【００１０】
ステップＳ１００５において、ＥＶ-ＤＯ用基地局ＢＳ＃１は、移動端末ＭＳに対して、１ｘ用基地局ＢＳ＃１に対する位置登録処理が完了したことを示す位置登録完了応答を通知するための「３Ｇ１Ｘ  Ｓｅｒｖｉｃｅ  Ｐａｃｋｅｔ」を送信する。
【００１１】
ステップＳ１００６において、１ｘ用上位交換局ＧＭＳＣとＥＶ-ＤＯ用上位ノードＰＤＳＮとパケット制御機能ＰＣＦ＃１とを介して、ＥＶ-ＤＯ用基地局ＢＳ＃１に対して、１ｘ用ネットワークを介した発信端末から移動端末ＭＳ宛ての着信が通知されると、ＥＶ-ＤＯ用基地局ＢＳ＃１は、かかる移動端末ＭＳ宛てのページングメッセージを通知するための「３Ｇ１Ｘ  Ｓｅｒｖｉｃｅ  Ｐａｃｋｅｔ」を、移動端末ＭＳに対して送信する。
【００１２】
ここで、かかる移動端末ＭＳ宛てのページングメッセージは、１ｘ用ネットワークを介した発信端末から移動端末ＭＳ宛ての着信があることを通知するものである。
【００１３】
ステップＳ１００７において、移動端末ＭＳは、ＥＶ-ＤＯ用基地局ＢＳ＃１に対して、３Ｇ１Ｘプロトコルの使用停止を要求するための「３Ｇ１Ｘプロトコル停止要求」を送信する。
【００１４】
ステップＳ１００８において、ＥＶ-ＤＯ用基地局ＢＳ＃１は、受信した「３Ｇ１Ｘプロトコル停止要求」に応じて、移動端末ＭＳに対して、３Ｇ１Ｘプロトコルの使用停止を承認するための「３Ｇ１Ｘプロトコル停止承認」を送信する。
【００１５】
ステップＳ１００９において、移動端末ＭＳは、１ｘ用基地局ＢＳからの報知情報を受信することによって、現在、どの１ｘ用基地局ＢＳ配下に在圏しているのかについて確認する。
【００１６】
ステップＳ１０１０において、移動交換局ＭＳＣ＃１配下の１ｘ用基地局ＢＳ＃１及び＃２は、１ｘ用ネットワークを介した発信端末から移動端末ＭＳ宛てのページングメッセージを通知する。
【００１７】
ステップＳ１０１１において、移動端末ＭＳは、ステップＳ１００９において移動端末ＭＳにより受信された報知情報に含まれる基地局ＩＤ（１ｘ用基地局ＢＳ＃１）が変更されていないことから、３Ｇ１Ｘプロトコル使用中（ステップＳ１００４乃至Ｓ１００８の間）に、移動端末ＭＳについて「１ｘハンドオフ処理」を行う必要性が生じていないと判断し、ステップＳ１０１０において１ｘ用基地局ＢＳ＃１が通知し移動端末ＭＳが１ｘ用基地局ＢＳ＃１から受信したページングメッセージに対して応答することによって、１ｘ用ネットワークを介して発信端末との間の通信を開始する。
【００１８】
次に、３Ｇ１Ｘプロトコル使用中に、移動端末ＭＳが同一移動交換局ＭＳＣ配下の別の１ｘ用基地局ＢＳのカバーエリアに移動している場合、すなわち、３Ｇ１Ｘプロトコルを停止した後に移動端末ＭＳにおいて受信した報知情報に含まれる基地局ＩＤが同一移動交換局ＭＳＣ配下の別の１ｘ用基地局ＢＳの基地局ＩＤに変更されている場合の動作について、図１０及び図１１を参照して説明する。
【００１９】
図１０に示すように、ステップＳ２００１乃至Ｓ２０１０の動作については、上述のステップＳ１００１乃至Ｓ１０１０の動作と同一である。
【００２０】
ステップＳ２０１１において、移動端末ＭＳは、ステップＳ２００９において移動端末ＭＳにより受信された報知情報に含まれる基地局ＩＤ（１ｘ用基地局ＢＳ＃１）が同一移動交換局ＭＳＣ＃１配下の１ｘ用基地局の基地局ＩＤ（１ｘ用基地局ＢＳ＃２）に変更されていることから、３Ｇ１Ｘプロトコル使用中（ステップＳ２００４乃至Ｓ２００８の間）に、移動端末ＭＳが同一移動交換局ＭＳＣ＃１配下の別の１ｘ用基地局ＢＳのカバーエリアに移動していると判断し、ステップＳ２０１０において１ｘ用基地局ＢＳ＃２が通知し移動局ＭＳが１ｘ用基地局ＢＳ＃２から受信したページングメッセージに対して応答することによって、１ｘ用ネットワークを介して発信端末との間の通信を開始する。
【００２１】
また、３Ｇ１Ｘプロトコル使用中に、移動端末ＭＳについて異なる移動交換局ＭＳＣ配下の１ｘ用基地局ＢＳ間で「１ｘハンドオフ処理」を行う必要性が生じている場合、すなわち、３Ｇ１Ｘプロトコルを停止した後に移動端末ＭＳにおいて受信した報知情報に含まれる基地局ＩＤが異なる移動交換局配下の１ｘ用基地局ＢＳの基地局ＩＤに変更されている場合の動作について、図１２及び図１３を参照して説明する。
【００２２】
図１２に示すように、ステップＳ３００１乃至Ｓ３００９の動作は、上述のステップＳ１００１乃至Ｓ１００９の動作と同一である。
【００２３】
ステップＳ３０１０において、移動端末ＭＳは、ステップＳ３００９において移動端末ＭＳにより受信された報知情報に含まれる基地局ＩＤ（１ｘ用基地局ＢＳ＃１）が異なる移動交換局ＭＳＣ＃２配下の１ｘ用基地局の基地局ＩＤ（１ｘ用基地局ＢＳ＃３）に変更されていることから、３Ｇ１Ｘプロトコル使用中（ステップＳ３００４乃至Ｓ３００８の間）に、移動端末ＭＳについて異なる移動交換局ＭＳＣ＃１及びＭＳＣ＃２配下の１ｘ用基地局ＢＳ＃１とＢＳ＃３との間で「１ｘハンドオフ処理」を行う必要性が生じていると判断する。
【００２４】
ここで、１ｘ用ネットワークを介した発信端末から移動端末ＭＳ宛てのページングメッセージは、移動交換局ＭＳＣ＃１配下の１ｘ用基地局ＢＳ＃１及びＢＳ＃２によって通知されているため、このままの状態では、移動端末ＭＳは、自分宛てのページングメッセージを受信することができず、１ｘ用ネットワークを介して発信端末との間の通信を開始することができないので、１ｘ用基地局ＢＳ＃３に対して位置登録要求を送信する。
【００２５】
ステップＳ３０１１において、１ｘ用基地局ＢＳ＃３は、受信した位置登録要求に応じて当該移動端末ＭＳについての位置登録処理を行い、かかる位置登録処理が完了した旨を通知するための位置登録完了応答を移動端末ＭＳに対して送信する。
【００２６】
ステップＳ３０１２において、移動交換局ＭＳＣ＃２配下の１ｘ用基地局ＢＳ＃３は、移動端末ＭＳの位置登録処理完了後に、１ｘ用ネットワークを介した発信端末から移動端末ＭＳ宛てのページングメッセージの通知を開始し、ステップＳ３０１３において、移動端末ＭＳは、１ｘ用基地局ＢＳ＃３から受信したページングメッセージに対して応答することによって、１ｘ用ネットワークを介して発信端末との間の通信を開始する。
【非特許文献１】「ｃｄｍａ２０００  Ｈｉｇｈ  Ｒａｔｅ  Ｐａｃｋｅｔ  Ｄａｔａ  Ａｉｒ  Ｉｎｔｅｒｆａｃｅ  ３ＧＰＰ２  Ｃ．Ｓ００２４  Ｖｅｒｓｉｏｎ  ４.０」、３ＧＰＰ２、２００２年１０月（Ｓｅｃｔｉｏｎ  ８.５.６.１、Ｓｅｃｔｉｏｎ  ９.３.１.３.２.３.２）
【非特許文献２】「ｃｄｍａ２０００  Ｈｉｇｈ  Ｒａｔｅ  Ｐａｃｋｅｔ  Ｄａｔａ  Ａｉｒ  Ｉｎｔｅｒｆａｃｅ  ３ＧＰＰ２  Ｃ．Ｓ００２４-Ａ  Ｖｅｒｓｉｏｎ  １.０」、３ＧＰＰ２、２００４年３月（Ｓｅｃｔｉｏｎ  １４.２.１.３.１.１、Ｓｅｃｔｉｏｎ  １４.３.１.３.１.１）
【発明の開示】
【発明が解決しようとする課題】
【００２７】
しかしながら、上述のように、従来の移動通信システムにおける動作では、３Ｇ１Ｘプロトコル使用中に、移動端末ＭＳについて異なる移動交換局ＭＳＣ配下の１ｘ用基地局ＢＳ間で「１ｘハンドオフ処理」を行う必要性が生じているか否かに関わらず、すなわち、移動端末ＭＳにおいて受信した報知情報に含まれる基地局ＩＤが異なる移動交換局配下の別の１ｘ用基地局の基地局ＩＤに変更されているか否かに関わらず、３Ｇ１Ｘプロトコルの使用を停止した後に、移動端末ＭＳは、自分宛てのページングメッセージを確実に受信するために、必ず１ｘ用ネットワークからの報知情報（及びページングメッセージ）を受信するように構成されている。
【００２８】
したがって、かかる移動通信システムでは、３Ｇ１Ｘプロトコル使用中に１ｘ用ネットワークのページングメッセージを受信してから、１ｘ用ネットワークにおける着信処理を行う動作にかかる時間が増大してしまうという問題点があった。
【００２９】
また、移動端末ＭＳが、自分宛てのページングメッセージを受信できない可能性があるという問題点があった。
【００３０】
そこで、本発明は、以上の点に鑑みてなされたもので、３Ｇ１Ｘプロトコル使用中に１ｘ用ネットワークのページングメッセージを受信してから、１ｘ用ネットワークにおける着信処理を行う動作を高速に行うことができる移動通信方法及び移動端末を提供することを目的とする。
【課題を解決するための手段】
【００３１】
本発明の第１の特徴は、移動端末が、パケット交換ネットワーク用基地局を介して回線交換ネットワーク用基地局からのページングメッセージを受信するように規定されているプロトコルを使用して通信を行う移動通信方法であって、前記移動端末が、前記プロトコルの使用を開始した後、前記パケット交換ネットワーク用基地局を介して前記ページングメッセージを受信する工程と、前記移動端末が、自分宛ての前記ページングメッセージの受信に応じて、前記プロトコルの使用を停止した後、前記回線交換ネットワーク用基地局からの報知情報を受信することなく、該回線交換ネットワーク用基地局に対して、該自分宛てのページングメッセージに対するページングレスポンスメッセージを送信する工程とを有することを要旨とする。
【００３２】
本発明の第１の特徴において、前記移動端末が、前記プロトコルの使用を開始する前に、第１の回線交換ネットワーク用基地局から、該第１の回線交換ネットワーク用基地局に接続されている移動交換局を識別する第１のネットワークＩＤを含む第１の報知情報を受信する工程と、前記移動端末が、前記プロトコルの使用を開始した後に、前記パケット交換ネットワーク用基地局から、第２の回線交換ネットワーク用基地局に接続されている移動交換局を識別する第２のネットワークＩＤを含む第２の報知情報を受信する工程と、前記第１のネットワークＩＤと前記第２のネットワークＩＤとが異なる場合、前記移動端末が、自分宛ての前記ページングメッセージの受信に応じて、前記プロトコルの使用を停止した後、前記第１及び第２の回線交換ネットワーク用基地局からの報知情報を受信することなく、前記第２の回線交換ネットワーク用基地局に対して位置登録処理を行い、該第２の回線交換ネットワーク用基地局に対して、該自分宛てのページングメッセージに対するページングレスポンスメッセージを送信する工程とを有してもよい。
【００３３】
本発明の第２の特徴は、パケット交換ネットワーク用基地局を介して回線交換ネットワーク用基地局からのページングメッセージを受信するように規定されているプロトコルを使用して通信を行う移動端末であって、前記プロトコルの使用が開始された後、前記パケット交換ネットワーク用基地局を介して前記ページングメッセージを受信するように構成されているページングメッセージ受信部と、前記移動端末宛ての前記ページングメッセージの受信に応じて、前記プロトコルの使用が停止された後、前記回線交換ネットワーク用基地局からの報知情報を受信することなく、該回線交換ネットワーク用基地局に対して、該移動端末宛てのページングメッセージに対するページングレスポンスメッセージを送信するように構成されているページングレスポンスメッセージ送信部とを具備することを要旨とする。
【００３４】
本発明の第２の特徴において、前記プロトコルの使用が開始される前に、第１の回線交換ネットワーク用基地局から、該第１の回線交換ネットワーク用基地局に接続されている移動交換局を識別する第１のネットワークＩＤを含む第１の報知情報を受信するように構成されている第１の報知情報受信部と、前記プロトコルの使用が開始された後に、前記パケット交換ネットワーク用基地局から、第２の回線交換ネットワーク用基地局に接続されている移動交換局を識別する第２のネットワークＩＤを含む第２の報知情報を受信するように構成されている第２の報知情報受信部と、前記第１のネットワークＩＤと前記第２のネットワークＩＤとを比較するように構成されている比較部と、前記第１のネットワークＩＤと前記第２のネットワークＩＤとが異なる場合で、前記移動端末宛ての前記ページングメッセージの受信に応じて、前記プロトコルの使用が停止された後、前記第１及び第２の回線交換ネットワーク用基地局からの報知情報を受信することなく、前記第２の回線交換ネットワーク用基地局に対して位置登録処理を行うように構成されている位置登録処理部とを具備し、前記ページングレスポンスメッセージ送信部が、前記第２の回線交換ネットワーク用基地局に対する位置登録処理の完了後、該第２の回線交換ネットワーク用基地局に対して、前記自分宛てのページングメッセージに対するページングレスポンスメッセージを送信するように構成されていてもよい。
【発明の効果】
【００３５】
以上説明したように、本発明によれば、３Ｇ１Ｘプロトコル使用中に１ｘ用ネットワークのページングメッセージを受信してから、１ｘ用ネットワークにおける着信処理を行う動作を高速に行うことができる移動通信方法及び移動端末を提供することができる。
【発明を実施するための最良の形態】
【００３６】
（本発明の第１の実施形態に係る移動通信システムの構成）
図１乃至図４を参照して、本発明の第１の実施形態に係る移動通信システムの構成について説明する。本実施形態に係る移動通信システムは、「ｃｄｍａ２０００  １ｘ-ＥＶ  ＤＯ方式」を適用している。
【００３７】
具体的には、本実施形態に係る移動通信システムは、図１に示すように、移動端末データベース１と、１ｘ用上位交換局ＧＭＳＣと、１ｘ用上位交換局ＧＭＳＣに接続されている移動交換局ＭＳＣ＃１及び＃２と、移動交換局ＭＳＣ＃１及び＃２にそれぞれ接続されている１ｘ用基地局ＢＳ＃１乃至＃３と、ＥＶ-ＤＯ上位ノードＰＤＳＮと、ＥＶ-ＤＯ上位ノードＰＤＳＮに接続されているパケット制御機能ＰＣＦ＃１及び＃２と、パケット制御機能ＰＣＦ＃１及び＃２にそれぞれ接続されているＥＶ-ＤＯ用基地局ＢＳ＃１乃至＃４とを具備している。
【００３８】
ここで、本実施形態に係る移動通信システムでは、移動端末ＭＳは、ＥＶ-ＤＯ用基地局ＢＳ＃１乃至＃４（パケット交換ネットワーク用基地局）を介して１ｘ用基地局ＢＳ＃１乃至＃３（回線交換ネットワーク用基地局）からのページングメッセージを受信するように規定されている３Ｇ１Ｘプロトコルを使用して通信を行うことができる。
【００３９】
図２に、かかる移動端末ＭＳのハードウエア機能を示し、図３に、かかる移動端末ＭＳのソフトウエア機能を示す。
【００４０】
図２に示すように、移動端末ＭＳは、ハードウエア機能として、表示部１１と、キー入力部１２と、記憶部１３と、１ｘ用送受信部１４と、ＥＶ-ＤＯ用送受信部１５と、切替部１６と、制御部１７と、送受信アンテナ１８とを具備する。
【００４１】
表示部１１は、液晶ディスプレイ等によって構成されており、キー入力部１２は、キー入力ボタン等によって構成されており、記憶部１３は、フラッシュメモリ等によって構成されている。
【００４２】
また、１ｘ用送受信部１４は、送受信アンテナ１８を介して１ｘ用基地局ＢＳとの間で無線通信を行うように構成されており、ＥＶ-ＤＯ用送受信部１５は、送受信アンテナ１８を介してＥＶ-ＤＯ用基地局ＢＳとの間で無線通信を行うように構成されている。なお、１ｘ用送受信部１４及びＥＶ-ＤＯ用送受信部１５は、別々の無線通信機能によって構成されてもよいし、同一の無線通信機能によって構成されていてもよい。
【００４３】
切替部１６は、送受信アンテナ１８を介して１ｘ用送受信部１４が無線通信を行うか、送受信アンテナ１８を介してＥＶ-ＤＯ用送受信部１５が無線通信を行うかを切り替えるように構成されている。
【００４４】
制御部１７は、ＣＰＵ等によって構成されており、各部１１乃至１６を制御するように構成されている。
【００４５】
図３に示すように、移動端末ＭＳは、ソフトウエア機能として、記憶部１３内に、位置情報記憶部１３ａを具備し、制御部１７内に、ＥＶ-ＤＯ報知情報取得部１７ａと、位置情報取得部１７ｂと、ＥＶ-ＤＯハンドオフ制御部１７ｃと、１ｘ報知情報取得部１７ｄと、位置情報比較部１７ｅと、１ｘハンドオフ制御部１７ｆと、３Ｇ１Ｘプロトコル制御部１７ｇと、ページング処理部１７ｈとを具備する。
【００４６】
位置情報記憶部１３ａは、当該移動端末ＭＳの位置情報として、例えば、「１ｘ用ネットワークＩＤ（位置登録時）」と「１ｘ用基地局ＩＤ（位置登録時）」と「１ｘ用ネットワークＩＤ（最新）」と「１ｘ用基地局ＩＤ（最新）」と「ＥＶ-ＤＯ用ネットワークＩＤ」と「ＥＶ-ＤＯ用基地局ＩＤ」とを関連付けて記憶するように構成されている。
【００４７】
「１ｘ用基地局ＩＤ（位置登録時）」は、３Ｇ１Ｘプロトコルの使用を開始する前に、当該移動端末ＭＳによって位置登録処理が行われていた１ｘ用基地局ＢＳの識別情報を示し、「１ｘ用ネットワークＩＤ（位置登録時）」は、３Ｇ１Ｘプロトコルの使用を開始する前に、当該移動端末ＭＳによって位置登録処理が行われていた１ｘ用基地局ＢＳが接続されている移動交換局ＭＳＣの識別情報を示す。
【００４８】
すなわち、「１ｘ用基地局ＩＤ（位置登録時）」は、３Ｇ１Ｘプロトコルの使用を開始する前に、１ｘ用基地局ＢＳから送信されていた報知情報に含まれていた基地局ＩＤを示し、「１ｘ用ネットワークＩＤ（位置登録時）」は、３Ｇ１Ｘプロトコルの使用を開始する前に、１ｘ用基地局ＢＳから送信されていた報知情報に含まれていたネットワークＩＤ（第１のネットワークＩＤ）を示す。
【００４９】
また、「１ｘ用基地局ＩＤ（最新）」は、３Ｇ１Ｘプロトコルの使用を開始した後に、ＥＶ-ＤＯ用基地局から送信された報知情報に含まれていた基地局ＩＤ（１ｘ用基地局の基地局ＩＤ）のうち最新のものを示し、「１ｘ用ネットワークＩＤ（最新）」は、３Ｇ１Ｘプロトコルの使用を開始した後に、ＥＶ-ＤＯ用基地局から送信された報知情報に含まれていたネットワークＩＤ（１ｘ用ネットワークのネットワークＩＤ）のうち最新のもの（第２のネットワークＩＤ）を示す。
【００５０】
「ＥＶ-ＤＯ用基地局ＩＤ」は、当該移動端末ＭＳが位置登録処理を行っているＥＶ-ＤＯ用基地局ＢＳの識別情報を示し、「ＥＶ-ＤＯ用ネットワークＩＤ」は、当該移動端末ＭＳが位置登録処理を行っているＥＶ-ＤＯ用基地局ＢＳが接続されているパケット制御機能ＰＣＦの識別情報を示す。
【００５１】
ＥＶ-ＤＯ報知情報取得部１７ａは、ＥＶ-ＤＯ用基地局ＢＳとの間で設定されているコントロールチャネルやトラフィックチャネルを用いて、ＥＶ-ＤＯ用ネットワークからの報知情報（シグナリングメッセージ）をＥＶ-ＤＯ用基地局ＢＳから取得するように構成されている。
【００５２】
また、ＥＶ-ＤＯ報知情報取得部１７ａは、３Ｇ１Ｘプロトコル制御部１７ｇからの指示に応じて３Ｇ１Ｘプロトコルが使用中であると判断した場合、ＥＶ-ＤＯ用基地局との間で設定されているコントロールチャネルやトラフィックチャネルを用いて、ＥＶ-ＤＯ用ネットワークからの報知情報に加えて、１ｘ用ネットワークからの報知情報（シグナリングメッセージ）を取得するように構成されている。
【００５３】
位置情報取得部１７ｂは、ＥＶ-ＤＯ報知情報取得部１７ａから、移動端末ＭＳの位置情報として、ＥＶ-ＤＯ用ネットワークからの報知情報に含まれる「ＥＶ-ＤＯ用ネットワークＩＤ」及び「ＥＶ-ＤＯ用基地局ＩＤ」を取得して、位置情報記憶部１３ａに記憶するように構成されている。
【００５４】
また、位置情報取得部１７ｂは、３Ｇ１Ｘプロトコルが使用されている場合、ＥＶ-ＤＯ報知情報取得部１７ａから、移動端末ＭＳの位置情報として、１ｘ用ネットワークからの報知情報に含まれる「１ｘ用ネットワークＩＤ」及び「１ｘ用基地局ＩＤ」を取得して、位置情報記憶部１３ａ内の「１ｘ用ネットワークＩＤ（最新）」及び「１ｘ用基地局ＩＤ（最新）」として記憶するように構成されている。
【００５５】
なお、位置情報取得部１７ｂは、３Ｇ１Ｘプロトコルが使用されていない場合、１ｘ報知情報取得部１７ｄから、移動端末ＭＳの位置情報として、１ｘ用ネットワークからの報知情報に含まれる「１ｘ用ネットワークＩＤ」及び「１ｘ用基地局ＩＤ」を取得して、位置情報記憶部１３ａ内の「１ｘ用ネットワークＩＤ（位置登録時）」及び「１ｘ用基地局ＩＤ（位置登録時）」として記憶するように構成されている。
【００５６】
ＥＶ-ＤＯハンドオフ制御部１７ｃは、ＥＶ-ＤＯ報知情報取得部１７ａによって取得されたＥＶ-ＤＯ用ネットワークからの報知情報に含まれる「ＥＶ-ＤＯ用基地局ＩＤ」に基づいて、ＥＶ-ＤＯハンドオフ処理に係る制御を行うように構成されている。
【００５７】
具体的には、ＥＶ-ＤＯハンドオフ制御部１７ｃは、ハンドオフ前のＥＶ-ＤＯ用基地局ＢＳと、ＥＶ-ＤＯ報知情報取得部１７ａによって取得されたＥＶ-ＤＯ用ネットワークからの報知情報に含まれる「ＥＶ-ＤＯ用基地局ＩＤ」によって識別されるハンドオフ先のＥＶ-ＤＯ用基地局ＢＳとが異なる場合に、当該ハンドオフ先のＥＶ-ＤＯ用基地局ＢＳに対して位置登録要求を送信することによって、当該ハンドオフ先のＥＶ-ＤＯ用基地局ＢＳに対して位置登録処理を行うように構成されている。
【００５８】
なお、ＥＶ-ＤＯハンドオフ制御部１７ｃは、移動端末ＭＳについてＥＶ-ＤＯハンドオフ処理又は１ｘハンドオフ処理を行った場合、その旨を３Ｇ１Ｘプロトコル制御部１７ｇに通知するように構成されている。
【００５９】
１ｘ報知情報取得部１７ｄは、３Ｇ１Ｘプロトコルが使用されていない場合、１ｘ用基地局ＢＳとの間で設定されているコントロールチャネルやトラフィックチャネルを用いて、１ｘ用ネットワークからの報知情報（シグナリングメッセージ）を取得するように構成されている。
【００６０】
位置情報比較部１７ｅは、位置情報記憶部１３ａに格納されている「１ｘ用ネットワークＩＤ（位置登録時）」と「１ｘ用ネットワークＩＤ（最新時）」とを比較し、比較結果を１ｘハンドオフ制御部１７ｆに通知するように構成されている。
【００６１】
また、位置情報比較部１７ｅは、位置情報記憶部１３ａに格納されている「１ｘ用基地局ＩＤ（位置登録時）」と「１ｘ用基地局ＩＤ（最新時）」とを比較し、比較結果を１ｘハンドオフ制御部１７ｆに通知するように構成されていてもよい。
【００６２】
１ｘハンドオフ制御部１７ｆは、１ｘ報知情報取得部１７ｄによって取得された１ｘ用ネットワークからの報知情報に含まれる「１ｘ用基地局ＩＤ」に基づいて、１ｘハンドオフ処理に係る制御を行うように構成されている。
【００６３】
具体的には、１ｘハンドオフ制御部１７ｆは、３Ｇ１Ｘプロトコルが使用されていない場合で、かつ、ハンドオフ前の１ｘ用基地局ＢＳと、１ｘ報知情報取得部１７ｆによって取得された１ｘ用ネットワークからの報知情報に含まれる「１ｘ用基地局ＩＤ」によって識別されるハンドオフ先の１ｘ用基地局ＢＳとが異なる場合に、当該ハンドオフ先の１ｘ用基地局ＢＳに対して位置登録要求を送信することによって、当該ハンドオフ先の１ｘ用基地局ＢＳに対して位置登録処理を行うように構成されている。
【００６４】
なお、１ｘハンドオフ制御部１７ｆは、移動端末ＭＳについて１ｘハンドオフ処理を行った場合、ハンドオフ先の１ｘ用基地局ＢＳの「基地局ＩＤ」及び当該ハンドオフ先の１ｘ用基地局ＢＳに接続されている移動交換局ＭＳＣを識別する「ネットワークＩＤ」に基づいて、位置情報記憶部１３ａを更新するように構成されている。
【００６５】
また、１ｘハンドオフ制御部１７ｆは、「１ｘ用ネットワークＩＤ（位置登録時）」と「１ｘ用ネットワークＩＤ（最新時）」とが異なる場合で、１ｘネットワークを介した発信端末から移動端末ＭＳ宛てのページングメッセージの受信に応じて、３Ｇ１Ｘプロトコルの使用が停止された後、「１ｘ用基地局ＩＤ（位置登録時）」によって識別される１ｘ用基地局ＢＳ及び「１ｘ用基地局ＩＤ（最新）」によって識別される１ｘ用基地局ＢＳからの報知情報を受信することなく、「１ｘ用基地局ＩＤ（最新）」によって識別される１ｘ用基地局ＢＳに対して位置登録処理を行うように構成されている。
【００６６】
３Ｇ１Ｘプロトコル制御部１７ｇは、移動端末ＭＳにおいて、３Ｇ１Ｘプロトコルの使用及び使用停止についての制御を行うように構成されている。
【００６７】
ページング処理部１７ｈは、ＥＶ-ＤＯ用ネットワークを介した発信端末から移動端末ＭＳ宛ての着信があることを通知するためのページングメッセージ（ＥＶ-ＤＯ用）を受信するように構成されている。
【００６８】
また、ページング処理部１７ｈは、３Ｇ１Ｘプロトコルの使用が開始された後、ＥＶ-ＤＯ用基地局ＢＳを介して、１ｘ用ネットワークを介した発信端末から移動端末ＭＳ宛ての着信（呼び出し）があることを通知するためのページングメッセージ（１ｘ用）を受信するように構成されている。
【００６９】
また、ページング処理部１７ｈは、ＥＶ-ＤＯネットワークを介して受信した移動端末ＭＳ宛てのページングメッセージ（１ｘ用）に応じて、３Ｇ１Ｘプロトコルの使用が停止された後、１ｘ用基地局ＢＳからの報知情報を受信することなく、当該１ｘ用基地局ＢＳに対して、かかる移動端末ＭＳ宛てのページングメッセージ（１ｘ用）に対するページングレスポンスメッセージを送信するように構成されている。
【００７０】
さらに、ページング処理部１７ｈは、「１ｘ用基地局ＩＤ（最新）」によって識別される１ｘ用基地局ＢＳに対する位置登録処理の完了後に、当該１ｘ用基地局ＢＳに対して、当該移動端末ＭＳ宛てのページングメッセージ（１ｘ用）に対するページングレスポンスメッセージ（１ｘ用）を送信するように構成されている。
【００７１】
なお、本実施形態に係る移動端末ＭＳは、このように構成されている装置であればよく、無線通信端末であってもよいし、無線モジュールであってもよいし、カード端末であってもよい。
【００７２】
図４に示すように、移動端末データベース１は、「移動端末ＩＤ」と「１ｘ用ネットワークＩＤ」と「１ｘ用基地局ＩＤ」と「ＥＸ-ＤＯ用ネットワークＩＤ」と「ＥＶ-ＤＯ用基地局ＩＤ」と「３Ｇ１Ｘプロトコル動作状況」とを関連付けて記憶するように構成されている。
【００７３】
「移動端末ＩＤ」は、移動端末ＭＳの識別情報を示し、「１ｘ用基地局ＩＤ」は、当該移動端末ＭＳが位置登録処理を行っている１ｘ用基地局ＢＳの識別情報を示し、「１ｘ用ネットワークＩＤ」は、当該移動端末ＭＳが位置登録処理を行っている１ｘ用基地局ＢＳが接続されている移動交換局ＭＳＣの識別情報を示し、「ＥＶ-ＤＯ用基地局ＩＤ」は、当該移動端末ＭＳが位置登録処理を行っているＥＶ-ＤＯ用基地局ＢＳの識別情報を示し、「ＥＶ-ＤＯ用ネットワークＩＤ」は、当該移動端末ＭＳが位置登録処理を行っているＥＶ-ＤＯ用基地局ＢＳが接続されているパケット制御機能ＰＣＦの識別情報を示す。
【００７４】
また、「３Ｇ１Ｘプロトコル動作状況」は、当該移動端末ＭＳにおいて３Ｇ１Ｘプロトコルが使用されているか否かについて示す。
【００７５】
移動端末データベース１は、１つのデータベースによって構成されていてもよいし、複数のデータベースによって構成されていてもよい。
【００７６】
１ｘ用上位交換局ＧＭＳＣは、１ｘ用ネットワークを介した相手端末から移動端末ＭＳ宛ての着信があった場合、移動端末データベース１を参照して、当該移動端末ＭＳにおいて３Ｇ１Ｘプロトコルが使用されているか否かについて判定する。
【００７７】
ここで、当該移動端末ＭＳにおいて３Ｇ１Ｘプロトコルが使用されていると判断された場合、１ｘ用上位交換局ＧＭＳＣは、当該移動端末ＭＳに関連付けられている「ＥＶ-ＤＯ用ネットワークＩＤ」によって識別されるパケット制御機能ＰＣＦに対して、１ｘ用ネットワークを介した相手端末から移動端末ＭＳ宛ての着信があった旨を通知し、当該パケット制御機能ＰＣＦは、その旨を配下のＥＶ-ＤＯ用基地局ＢＳを介して移動端末ＭＳに通知する。
【００７８】
一方、当該移動端末ＭＳにおいて３Ｇ１Ｘプロトコルが使用されていないと判断された場合、１ｘ用上位交換局ＧＭＳＣは、当該移動端末ＭＳに関連付けられている「１ｘ用ネットワークＩＤ」によって識別される移動交換局ＭＳＣに対して、１ｘ用ネットワークを介した相手端末から移動端末ＭＳ宛ての着信を転送し、当該移動交換局ＭＳＣは、かかる着信を配下の１ｘ用基地局ＢＳを介して移動端末ＭＳに通知する。
【００７９】
また、パケット制御機能ＰＣＦ又はＥＶ-ＤＯ用上位ノードＰＤＳＮは、ＥＶ-ＤＯ用基地局ＢＳから受信した３Ｇ１Ｘプロトコル使用要求又は３Ｇ１Ｘプロトコル停止要求に応じて、移動端末データベース１における「３Ｇ１Ｘプロトコル動作状況」を更新するように構成されている。
【００８０】
また、パケット制御機能ＰＣＦ又はＥＶ-ＤＯ用上位ノードＰＤＳＮ、若しくは、移動交換局ＭＳＣ又は１ｘ用上位交換局ＧＭＳＣは、ＥＶ-ＤＯ用基地局ＢＳ又は１ｘ用基地局ＢＳによって行われる位置登録処理に応じて、移動端末データベース１の内容を更新するように構成されている。
【００８１】
（本発明の第１の実施形態に係る移動通信システムの動作）
図５乃至図７を参照して、本発明の第１の実施形態に係る移動通信システムの動作について説明する。
【００８２】
第１に、図５を参照して、本実施形態に係る移動通信システムにおいて、３Ｇ１Ｘプロトコル使用中に１ｘ用ネットワークのページングメッセージを受信してから、１ｘ用ネットワークにおける着信処理を行う動作について説明する。
【００８３】
図５に示すように、ステップＳ１０１において、移動端末ＭＳは、１ｘ用基地局ＢＳ＃１から、当該１ｘ用基地局ＢＳ＃１を識別する基地局ＩＤ及び当該１ｘ用基地局ＢＳ＃１に接続されている移動交換局ＭＳＣ＃１を識別するネットワークＩＤを含む報知情報Ａを受信する。
【００８４】
ステップＳ１０２において、移動端末ＭＳは、位置登録処理を行っているＥＶ-ＤＯ用基地局ＢＳ＃１に対して、３Ｇ１Ｘプロトコルの使用開始を要求するための「３Ｇ１Ｘプロトコル使用要求」を送信する。
【００８５】
ステップＳ１０３において、ＥＶ-ＤＯ用基地局ＢＳ＃１は、受信した「３Ｇ１Ｘプロトコル使用要求」に応じて、移動端末ＭＳに対して、３Ｇ１Ｘプロトコルの使用開始を承認するための「３Ｇ１Ｘプロトコル使用承認」を送信する。
【００８６】
ステップＳ１０４において、移動端末ＭＳは、受信した「３Ｇ１Ｘプロトコル使用承認」に応じて、３Ｇ１Ｘプロトコルの使用を開始し、ＥＶ-ＤＯ用基地局ＢＳ＃１に対して、１ｘ用基地局ＢＳ＃１に対して位置登録処理を行うための位置登録要求を通知するための「３Ｇ１Ｘ  Ｓｅｒｖｉｃｅ  Ｐａｃｋｅｔ（１ｘ用ネットワークのシグナリングメッセージを含むＤＯパケット）」を送信する。
【００８７】
ここで、ＥＶ-ＤＯ用基地局ＢＳ＃１に接続されているパケット制御機能ＰＣＦ＃１は、移動端末データベース１において、当該移動端末ＭＳの「３Ｇ１Ｘプロトコル動作状況」を「使用中（○）」に変更する。
【００８８】
ステップＳ１０５において、ＥＶ-ＤＯ用基地局ＢＳ＃１は、移動端末ＭＳに対して、１ｘ用基地局ＢＳ＃１に対する位置登録処理が完了したことを示す位置登録完了応答を通知するための「３Ｇ１Ｘ  Ｓｅｒｖｉｃｅ  Ｐａｃｋｅｔ」を送信する。
【００８９】
また、ＥＶ-ＤＯ用基地局ＢＳ＃１は、移動端末ＭＳについての１ｘ用基地局ＢＳ＃１に対する位置登録処理を行うことによって、移動端末データベース１において、当該移動端末ＭＳの「１ｘ用基地局ＩＤ」に１ｘ用基地局ＢＳ＃１を設定する。
【００９０】
ステップＳ１０６において、移動端末ＭＳは、１ｘ用基地局ＢＳ＃１に対する位置登録処理が完了した後、ステップＳ１０１において受信した報知情報Ａを記憶する。
【００９１】
ステップＳ１０７において、移動端末ＭＳは、ＥＶ-ＤＯ用基地局ＢＳ＃１から、１ｘ用基地局ＢＳ＃１を識別する基地局ＩＤ及び１ｘ用基地局ＢＳ＃１に接続されている移動交換局ＭＳＣ＃１を識別するネットワークＩＤを含む報知情報Ｂを通知するための「３Ｇ１Ｘ  Ｐａｒａｍｅｔｅｒｓ  ｍｅｓｓａｇｅ（Ｓｙｓｔｅｍ  Ｐａｒａｍｅｔｅｒｓ  Ｍｅｓｓａｇｅ、又は、Ｅｘｔｅｎｄｅｄ  Ｓｙｓｔｅｍ  Ｐａｒａｍｅｔｅｒｓ  Ｍｅｓｓａｇｅ）」を受信する。
【００９２】
なお、かかる「３Ｇ１Ｘ  Ｐａｒａｍｅｔｅｒｓ  ｍｅｓｓａｇｅ」は、定期的に送信されるものとする。
【００９３】
ステップＳ１０８において、移動端末ＭＳは、受信した「３Ｇ１Ｘ  Ｐａｒａｍｅｔｅｒｓ  ｍｅｓｓａｇｅ」に含まれる報知情報Ｂを記憶する。
【００９４】
ステップＳ１０９において、１ｘ用上位交換局ＧＭＳＣとＥＶ-ＤＯ用上位ノードＰＤＳＮとパケット制御機能ＰＣＦ＃１とを介して、ＥＶ-ＤＯ用基地局ＢＳ＃１に対して、１ｘ用ネットワークを介した発信端末から移動端末ＭＳ宛ての着信が通知されると、ＥＶ-ＤＯ用基地局ＢＳ＃１は、かかる移動端末ＭＳ宛てのページングメッセージを通知するための「３Ｇ１Ｘ  Ｓｅｒｖｉｃｅ  Ｐａｃｋｅｔ」を、移動端末ＭＳに対して送信する。
【００９５】
ステップＳ１１０において、移動端末ＭＳは、報知情報Ａに含まれている「１ｘ用基地局ＩＤ」と報知情報Ｂに含まれている「１ｘ用基地局ＩＤ」とを比較して等しいか否かについて判定する。
【００９６】
ステップＳ１１１において、移動端末ＭＳは、ＥＶ-ＤＯ用基地局ＢＳ＃１に対して、３Ｇ１Ｘプロトコルの使用停止を要求するための「３Ｇ１Ｘプロトコル停止要求」を送信する。
【００９７】
ステップＳ１１２において、ＥＶ-ＤＯ用基地局ＢＳ＃１は、受信した「３Ｇ１Ｘプロトコル停止要求」に応じて、移動端末ＭＳに対して、３Ｇ１Ｘプロトコルの使用停止を承認するための「３Ｇ１Ｘプロトコル停止承認」を送信する。
【００９８】
ここで、ＥＶ-ＤＯ用基地局ＢＳ＃１に接続されているパケット制御機能ＰＣＦ＃１は、移動端末データベース１において、当該移動端末ＭＳの「３Ｇ１Ｘプロトコル動作状況」を「停止中（×）」に変更する。
【００９９】
図５の例では、ステップＳ１１０において、両者が等しいと判定されたため、ステップＳ１１３において、移動端末ＭＳは、ステップＳ１０１において移動端末ＭＳにより受信された報知情報Ａに含まれる基地局ＩＤ（１ｘ用基地局ＢＳ＃１）が変更されていないことから、３Ｇ１Ｘプロトコル使用中（ステップＳ１０４乃至Ｓ１１２の間）に、移動端末ＭＳについて「１ｘハンドオフ処理」を行う必要性が生じていないと判断し、１ｘ用基地局ＢＳ＃１から報知情報を再度受信することなく、また、１ｘ用基地局ＢＳ＃１から当該移動端末ＭＳ宛てのページングメッセージを再度受信することなく、ステップＳ１０９においてＥＶ-ＤＯ用基地局ＢＳ＃１を介して通知された１ｘ用基地局ＢＳ＃１からのページングメッセージに対して応答することによって、１ｘ用ネットワークを介して発信端末（相手端末）との間の通信を開始する。
【０１００】
第２に、３Ｇ１Ｘプロトコル使用中に、移動端末ＭＳが同一移動交換局ＭＳＣ配下の別の１ｘ用基地局ＢＳのカバーエリアに移動した場合、すなわち、３Ｇ１Ｘプロトコルを停止した後に移動端末ＭＳにおいて受信した報知情報に含まれる基地局ＩＤが同一移動交換局ＭＳＣ配下の別の１ｘ用基地局ＢＳの基地局ＩＤに変更されている場合の動作について、図６を参照して説明する。
【０１０１】
図６に示すように、ステップＳ２０１乃至Ｓ２０８の動作については、上述のステップＳ１０１乃至Ｓ１０８の動作と同一である。
【０１０２】
ステップＳ２０９及びＳ２１０において、移動端末ＭＳは、ＥＶ-ＤＯ用ネットワークからの報知情報に含まれる「ＥＶ-ＤＯ用基地局ＩＤ」によって識別されるＥＶ-ＤＯ用基地局ＢＳ＃２がＥＶ-ＤＯ用基地局ＢＳ＃１と異なるため、ＥＶ-ＤＯ用基地局ＢＳ＃１に対して位置登録解除要求を送信すると共に、ＥＶ-ＤＯ用基地局ＢＳ＃２に対して位置登録要求を送信することによって、ＥＶ-ＤＯ用基地局ＢＳ＃２に対して位置登録処理（ＥＶ-ＤＯハンドオフ）を行う。
【０１０３】
ステップＳ２１１において、移動端末ＭＳは、ＥＶ-ＤＯ用基地局ＢＳ＃２から、１ｘ用基地局ＢＳ＃２を識別する基地局ＩＤ及び１ｘ用基地局ＢＳ＃２に接続されている移動交換局ＭＳＣ＃１を識別するネットワークＩＤを含む報知情報Ｃを通知するための「３Ｇ１Ｘ  Ｐａｒａｍｅｔｅｒｓ  ｍｅｓｓａｇｅ」を受信する。
【０１０４】
ステップＳ２１２において、移動端末ＭＳは、受信した「３Ｇ１Ｘ  Ｐａｒａｍｅｔｅｒｓ  ｍｅｓｓａｇｅ」に含まれる報知情報Ｃを記憶する。
【０１０５】
ステップＳ２１３において、１ｘ用上位交換局ＧＭＳＣとＥＶ-ＤＯ用上位ノードＰＤＳＮとパケット制御機能ＰＣＦ＃１とを介して、ＥＶ-ＤＯ用基地局ＢＳ＃２に対して、１ｘ用ネットワークを介した発信端末から移動端末ＭＳ宛ての着信が通知されると、ＥＶ-ＤＯ用基地局ＢＳ＃２は、かかる移動端末ＭＳ宛てのページングメッセージを通知するための「３Ｇ１Ｘ  Ｓｅｒｖｉｃｅ  Ｐａｃｋｅｔ」を、移動端末ＭＳに対して送信する。
【０１０６】
ステップＳ２１４において、移動端末ＭＳは、報知情報Ａに含まれている「１ｘ用基地局ＩＤ」と報知情報Ｃに含まれている「１ｘ用基地局ＩＤ」とを比較して等しいか否かについて判定する。
【０１０７】
図６の例では、両者は異なっているので、ステップＳ２１５において、移動端末ＭＳは、報知情報Ａに含まれている「１ｘ用ネットワークＩＤ」と報知情報Ｃに含まれている「１ｘ用ネットワークＩＤ」とを比較して等しいか否かについて判定する。
【０１０８】
ステップＳ２１６において、移動端末ＭＳは、ＥＶ-ＤＯ用基地局ＢＳ＃２に対して、３Ｇ１Ｘプロトコルの使用停止を要求するための「３Ｇ１Ｘプロトコル停止要求」を送信する。
【０１０９】
ステップＳ２１７において、ＥＶ-ＤＯ用基地局ＢＳ＃２は、受信した「３Ｇ１Ｘプロトコル停止要求」に応じて、移動端末ＭＳに対して、３Ｇ１Ｘプロトコルの使用停止を承認するための「３Ｇ１Ｘプロトコル停止承認」を送信する。
【０１１０】
ここで、ＥＶ-ＤＯ用基地局ＢＳ＃２に接続されているパケット制御機能ＰＣＦ＃１は、移動端末データベース１において、当該移動端末ＭＳの「３Ｇ１Ｘプロトコル動作状況」を「停止中（×）」に変更する。
【０１１１】
図６の例では、ステップＳ２１５において、両者が等しいと判定されたため、ステップＳ２１８において、移動端末ＭＳは、ステップＳ２０１において移動端末ＭＳにより受信された報知情報Ａに含まれるネットワークＩＤ（１ｘ用基地局ＢＳ＃１が接続されている移動交換局ＭＳＣ＃１）が変更されていないことから、３Ｇ１Ｘプロトコル使用中（ステップＳ２０４乃至Ｓ２１７の間）に、移動端末ＭＳに対する１ｘ用ネットワークのページングメッセージを送信するページングエリアが変更されていないと判断し、１ｘ用基地局ＢＳ＃２から報知情報を再度受信することなく、また、１ｘ用基地局ＢＳ＃２から当該移動端末ＭＳ宛てのページングメッセージを再度受信することなく、ステップＳ２１１においてＥＶ-ＤＯ用基地局ＢＳ＃２を介して通知された１ｘ用基地局ＢＳ＃２からのページングメッセージに対して応答することによって、１ｘ用ネットワークを介して発信端末との間の通信を開始する。
【０１１２】
第３に、３Ｇ１Ｘプロトコル使用中に、移動端末ＭＳについて異なる移動交換局ＭＳＣ配下の１ｘ用基地局ＢＳ間で「１ｘハンドオフ処理」を行う必要性が生じている場合、すなわち、移動端末ＭＳにおいて受信した報知情報に含まれる基地局ＩＤが異なる移動交換局ＭＳＣ配下の別の１ｘ用基地局ＢＳの基地局ＩＤに変更されている場合の動作について、図７を参照して説明する。
【０１１３】
図７に示すように、ステップＳ３０１乃至Ｓ３１７の動作は、上述のステップＳ２０１乃至Ｓ２１７の動作と同一である。
【０１１４】
図７の例では、ステップＳ３１５において、両者が異なると判定されたため、ステップＳ３１８において、移動端末ＭＳは、ステップＳ３０１において移動端末ＭＳにより受信された報知情報Ａに含まれる基地局ＩＤ（１ｘ用基地局ＢＳ＃１）が異なる移動交換局ＭＳＣ＃２配下の別の１ｘ用基地局ＢＳの基地局ＩＤ（１ｘ用基地局ＢＳ＃３）に変更されていることから、３Ｇ１Ｘプロトコル使用中（ステップＳ３０４乃至Ｓ３１７の間）に、移動端末ＭＳについて異なる移動交換局ＭＳＣ＃１及びＭＳＣ＃２配下の１ｘ用基地局ＢＳ＃１とＢＳ＃３との間で「１ｘハンドオフ処理」を行う必要性が生じていると判断する。
【０１１５】
ここで、１ｘ用ネットワークは、移動端末ＭＳが移動交換局ＭＳＣ＃１配下の１ｘ用基地局ＢＳのカバーエリアに存在していると認識しており、１ｘ用ネットワークを介した発信端末から移動端末ＭＳ宛てのページングメッセージは、移動交換局ＭＳＣ＃１配下の１ｘ用基地局ＢＳ＃１及びＢＳ＃２によって通知されているため、このままの状態では、移動端末ＭＳは、自分宛てのページングメッセージを受信することができず、１ｘ用ネットワークを介して発信端末との間の通信を開始することができないので、１ｘ用基地局ＢＳ＃３に対して位置登録要求を送信する。
【０１１６】
ステップＳ３１９において、１ｘ用基地局ＢＳ＃３は、受信した位置登録要求に応じて当該移動端末ＭＳについての位置登録処理を行い、かかる位置登録処理が完了した旨を通知するための位置登録完了応答を移動端末ＭＳに対して送信する。
【０１１７】
また、１ｘ用基地局ＢＳ＃３は、移動端末ＭＳについての１ｘ用基地局ＢＳ＃３に対する位置登録処理を行うことによって、移動端末データベース１において、当該移動端末ＭＳの「１ｘ用基地局ＩＤ」に１ｘ用基地局ＢＳ＃３を設定する。
【０１１８】
ステップＳ３２０において、移動端末ＭＳは、１ｘ用基地局ＢＳ＃３から送信された位置登録完了応答を受信すると、１ｘ用基地局ＢＳ＃３から報知情報を再度受信することなく、また、１ｘ用基地局ＢＳ＃３から当該移動端末ＭＳ宛てのページングメッセージを再度受信することなく、ステップＳ３１１においてＥＶ-ＤＯ用基地局ＢＳ＃２を介して通知された１ｘ用基地局ＢＳ＃３からのページングメッセージに対して応答することによって、１ｘ用ネットワークを介して発信端末との間の通信を開始する。
【０１１９】
（本発明の第１の実施形態に係る移動通信システムの作用・効果）
本実施形態に係る移動通信システムによれば、移動端末ＭＳが、ＥＶ-ＤＯ用基地局ＢＳを介して受信した１ｘ用ネットワークを介した発信端末から自分宛てのページングメッセージの受信に応じて、３Ｇ１Ｘプロトコルの使用を停止した後、１ｘ用基地局ＢＳからの報知情報を受信することなく、１ｘ用基地局ＢＳに対して、自分宛てのページングメッセージに対するページングレスポンスメッセージを送信するように構成されているため、３Ｇ１Ｘプロトコル使用中に１ｘ用ネットワークのページングメッセージを受信してから、１ｘ用ネットワークにおける着信処理を行う動作にかかる時間を短縮することができる。
【０１２０】
また、本実施形態に係る移動通信システムによれば、３Ｇ１Ｘプロトコルの使用が開始される前に受信した報知情報Ａに含まれている「１ｘ用ネットワークＩＤ」と３Ｇ１Ｘプロトコルの使用が開始された後にＥＶ-ＤＯ用基地局ＢＳを介して受信した報知情報Ｂ又はＣに含まれている「１ｘ用ネットワークＩＤ」とが異なる場合に、移動端末ＭＳが、ＥＶ-ＤＯ用基地局ＢＳを介して受信した１ｘ用ネットワークを介した発信端末から自分宛てのページングメッセージの受信に応じて、３Ｇ１Ｘプロトコルの使用を停止した後、１ｘ用基地局ＢＳ＃１及びＢＳ＃３からの報知情報を再度受信することなく、１ｘ用基地局ＢＳ＃３に対して位置登録処理を行い、１ｘ用基地局ＢＳ＃３に対して、当該自分宛てのページングメッセージに対するページングレスポンスメッセージを送信するように構成されているため、自分宛てのページングメッセージを受信することができない確率を低減しつつ、３Ｇ１Ｘプロトコル使用中に１ｘ用ネットワークのページングメッセージを受信してから、１ｘ用ネットワークにおける着信処理を行う動作にかかる時間を短縮することができる。
【０１２１】
また、ＥＶ-ＤＯ用基地局ＢＳを介して１ｘ用基地局ＢＳの位置登録処理（ハンドオフ処理）を行う構成を用いれば、３Ｇ１Ｘプロトコルの使用中に移動端末ＭＳが異なる移動交換局ＭＳＣ配下の１ｘ用基地局ＢＳのカバーエリアに移動しても、１ｘ用ネットワークが移動端末ＭＳの位置（位置登録を行っている１ｘ用基地局ＢＳ）を把握できる。
【０１２２】
したがって、３Ｇ１Ｘプロトコルの使用中にＥＶ-ＤＯ用基地局ＢＳを介して１ｘ用ネットワークのページングメッセージを受信しても、３Ｇ１Ｘプロトコルの停止後、図７に示すように、１ｘ用基地局ＢＳ（＃３）に位置登録処理を行わなくても、ＥＶ-ＤＯ用基地局ＢＳを介して受信したページングメッセージの応答を１ｘ用基地局ＢＳ（＃３）にすることが可能になる。
【０１２３】
なお、上述の実施形態では、３Ｇ１Ｘプロトコルの使用中に移動端末ＭＳが異なる移動交換局ＭＳＣ配下の１ｘ用基地局ＢＳのカバーエリアに移動した場合に、ＥＶ-ＤＯ用基地局ＢＳを介して１ｘ用基地局ＢＳの位置登録処理を行うように記載されているが、これに限らず、３Ｇ１Ｘプロトコルの使用中に移動端末ＭＳが同一の移動交換局ＭＳＣ配下の異なる１ｘ用基地局ＢＳのカバーエリアに移動した場合に、ＥＶ-ＤＯ用基地局ＢＳを介して１ｘ用基地局ＢＳの位置登録処理を行うようにしてもよい。
【０１２４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【０１２５】
【図１】一般的な移動通信システムの全体構成図である。
【図２】本発明の第１の実施形態に係る移動端末のハードウエア機能ブロック図である。
【図３】本発明の第１の実施形態に係る移動端末のソフトウエア機能ブロック図である。
【図４】本発明の第１の実施形態に係る移動通信システムで用いられる移動端末データベースにおいて管理されている情報の一例を示す図である。
【図５】本発明の第１の実施形態に係る移動通信システムにおいて、３Ｇ１Ｘプロトコル使用中に１ｘ用ネットワークのページングメッセージを受信してから、１ｘ用ネットワークにおける着信処理を行う動作を示すシーケンス図である。
【図６】本発明の第１の実施形態に係る移動通信システムにおいて、３Ｇ１Ｘプロトコル使用中に１ｘ用ネットワークのページングメッセージを受信してから、１ｘ用ネットワークにおける着信処理を行う動作を示すシーケンス図である。
【図７】本発明の第１の実施形態に係る移動通信システムにおいて、３Ｇ１Ｘプロトコル使用中に１ｘ用ネットワークのページングメッセージを受信してから、１ｘ用ネットワークにおける着信処理を行う動作を示すシーケンス図である。
【図８】従来技術に係る移動通信システムにおいて、３Ｇ１Ｘプロトコル使用中に１ｘ用ネットワークのページングメッセージを受信してから、１ｘ用ネットワークにおける着信処理を行う動作（１ｘハンドオフが生じていない場合）を示すシーケンス図である。
【図９】従来技術に係る移動通信システムにおいて、３Ｇ１Ｘプロトコル使用中に１ｘ用ネットワークのページングメッセージを受信してから、１ｘ用ネットワークにおける着信処理を行う動作（１ｘハンドオフが生じていない場合）を説明するための図である。
【図１０】従来技術に係る移動通信システムにおいて、３Ｇ１Ｘプロトコル使用中に１ｘ用ネットワークのページングメッセージを受信してから、１ｘ用ネットワークにおける着信処理を行う動作（移動局ＭＳが同一ＭＳＣ配下の別の１ｘ用基地局ＢＳのカバーエリアに移動しているが、１ｘハンドオフが生じていない場合）を示すシーケンス図である。
【図１１】従来技術に係る移動通信システムにおいて、３Ｇ１Ｘプロトコル使用中に１ｘ用ネットワークのページングメッセージを受信してから、１ｘ用ネットワークにおける着信処理を行う動作（移動局ＭＳが同一ＭＳＣ配下の別の１ｘ用基地局ＢＳのカバーエリアに移動しているが、１ｘハンドオフが生じていない場合）を説明するための図である。
【図１２】従来技術に係る移動通信システムにおいて、３Ｇ１Ｘプロトコル使用中に１ｘ用ネットワークのページングメッセージを受信してから、１ｘ用ネットワークにおける着信処理を行う動作（異なるＭＳＣ配下の１ｘ用基地局ＢＳ間で１ｘハンドオフが生じている場合）を示すシーケンス図である。
【図１３】従来技術に係る移動通信システムにおいて、３Ｇ１Ｘプロトコル使用中に１ｘ用ネットワークのページングメッセージを受信してから、１ｘ用ネットワークにおける着信処理を行う動作（異なるＭＳＣ配下の１ｘ用基地局ＢＳ間で１ｘハンドオフが生じている場合）を説明するための図である。
【符号の説明】
【０１２６】
ＭＳ…移動端末
１１…表示部
１２…キー入力部
１３…記憶部
１３ａ…位置情報記憶部
１４…１ｘ用送受信部
１５…ＥＶ-ＤＯ用送受信部
１６…切替部
１７…制御部
１７ａ…ＥＶ-ＤＯ報知情報取得部
１７ｂ…位置情報取得部
１７ｃ…ＥＶ-ＤＯハンドオフ制御部
１７ｄ…１ｘ報知情報取得部
１７ｅ…位置情報比較部
１７ｆ…１ｘハンドオフ制御部
１７ｇ…３Ｇ１Ｘプロトコル制御部
１７ｈ…ページング処理部
１８…送受信アンテナ
【図１】
0004749215.tif 000002
【図２】
0004749215.tif 000003
【図３】
0004749215.tif 000004
【図４】
0004749215.tif 000005
【図５】
0004749215.tif 000006
【図６】
0004749215.tif 000007
【図７】
0004749215.tif 000008
【図８】
0004749215.tif 000009
【図９】
0004749215.tif 000010
【図１０】
0004749215.tif 000011
【図１１】
0004749215.tif 000012
【図１２】
0004749215.tif 000013
【図１３】
0004749215.tif 000014